(57)【要約】      （修正有）【課題】一対（２ヶ）の永久磁石の持つ吸着力或いは反発力を活用し、連続してエネルギー源として利用すること。【解決手段】一対の永久磁石はＮ極とＮ極又はＳ極とＳ極の同極同士は互いに反発し、Ｎ極とＳ極は吸引しあう、又Ｎ極、Ｓ極も磁性体には共に吸引する固有機能を活用し、反発しあう同極同士の間へ磁性体を吸引させれば同極同士は磁性体を介して吸引しあい、次に磁性体を吸引されたときの力を利用して引き抜けば同極同士は反発しあう。この様に永久磁石と磁性体を組み合わせ、外部の力を用いないで永久磁石の同極同士を吸引・反発を繰り返し永久磁石を振動させ、又往復運動、あるいは回転軸を中心に回転運動させて電気エネルギー、回転エネルギーとして取り出すことができる装置とする。【選択図】図１
2011083174.tif 000002
【特許請求の範囲】
【請求項１】
一対（２ヶ）の永久磁石のＮ極とＮ極、又はＳ極とＳ極の同極同士は常に反発しあい、Ｎ極とＳ極の異極同士は吸引しあう。又、Ｎ極とＳ極共磁性体にはどちらも吸引する固有機能がある。
この同極同士を向かい合わせに隙間をあけて設置し、その隙間に平たい磁性体を近づけ吸引させると同極同士はそれぞれ磁性体を介して反発から吸引へと変化する。
次に磁性体を同極同士の間から吸引されたときの力を逆利用し引き戻せば同極同士は元の反発の状態に戻る。
以上のように外力を要しないで永久磁石の同極同士より吸引力及び反発力を交互に引き起こす永久磁石を利用した動力連続発生装置。
【請求項２】
請求項１により発生した動力を往復運動及び圧力あるいは振動として活用した永久磁石を利用した動力連続発生装置。
【請求項３】
一対（２ヶ）の永久磁石のＮ極とＮ極又はＳ極とＳ極の同極同士を向かい合わせに隙間を開けて設置し、片方をフレーム等に固定（以後これを固定磁石と呼ぶ）、もう一方を固定磁石に平行移動（以後これを移動磁石と呼ぶ）できる様に設置し、その固定及び移動磁石の間へ磁性体が出入りできる構成としたものであり、当初移動磁石は固定磁石に反発し離れているが、磁性体が固定磁石に近づき吸引されると移動磁石も磁性体を介して固定磁石に近づき双方吸引しあう状態となる。
次に、固定磁石に磁性体が吸引されたときの力及び移動磁石が磁性体に吸引されたときの力を逆利用し、磁性体を固定磁石及び移動磁石の間から引き戻せばお互いに反発し、請求項１と同様に外力を要さないで固定磁石及び移動磁石により吸引力及び反発力を交互に引き起こす、永久磁石を利用した動力連続発生装置。
【請求項４】
請求項３により発生した吸引力及び反発力を回転運動として活用した、永久磁石を利用した動力連続発生装置。
【発明の詳細な説明】
【技術分野】
【０００１】  本発明は、一対（２ヶ）の永久磁石のＮ極とＮ極又はＳ極とＳ極を対向させたときのその反発力と、又Ｎ極及びＳ極は共に磁性体には吸引力をもつ固有機能を利用した装置に関するものである。
【背景技術】
【０００２】  一対（２ヶ）の永久磁石はＮ極とＮ極又はＳ極とＳ極の同極同士は反発しあい、又Ｎ極とＳ極の異極同士は吸引しあう固有機能がある。従ってそのままでは同極同士は反発したままであり、異極同士では吸引しあったままとなり、連続してその反発力又は吸引力を利用できていない。
【発明の開示】
【発明が解決しようとする課題】
【０００３】  従って永久磁石のこの固有機能を活用して動力を発生するためには、反発する同極同士Ｎ極とＮ極又はＳ極とＳ極を外力を加えないで接近又は吸引させ、又それを外力を加えないで元の反発する状態に戻すことができれば、これを繰り返し行うことによって動力の発生が可能となる。
【課題を解決するための手段】
【０００４】  本発明はこの課題に対して、一対（２ヶ）の永久磁石のＮ極とＮ極又はＳ極とＳ極の同極同士を向かい合わせにし、隙間を保持しながら多少の接近、又、離反可能な状態で設置し、その隙間へ磁極に接触しないように保持され移動可能な磁性体を近づけると、同極同士はそれぞれは反発しながらもその磁性体をその隙間へ吸引し引き込む。それと同時に同極同士はそれまで反発していた状態から磁性体を介して吸引する状態に変化する。これらの動きには外力は要しない。【０００５】  次にこの状態から同極同士を元の反発する状態に戻すためには引き込まれた磁性体を引き戻さなければならないが、これに要する力は磁性体が引き込まれたときの力と等しいため、引き込まれたときの力を例えばスプリング等に蓄えこれを利用することにより外力を要しないで引き戻すことができる。従って磁性体を利用することにより永久磁石の同極同士Ｎ極とＮ極又はＳ極とＳ極を外力を要さないで吸引、反発を行うことができる。
【発明の効果】
【０００６】  以上説明してきたように本発明によれば、反発する一対（２ヶ）の永久磁石の同極同士の間に適当な厚さ、大きさの磁性体を近づけることにより、磁性体は同極同士の間に吸引されると同時に同極同士は磁性体を介して引き合うように変化する。【０００７】  この状態から磁性体を前述のように外力を要しないで同極同士の間から引き戻せば同極同士は反発した元の状態に戻る。【０００８】  これを繰り返せば永久磁石の同極同士は外力を要しないで吸引、反発を繰り返し、これを種々の装置と組み合わせることにより動力として取り出すことができる。従って本発明は無公害な無限のエネルギー源としてこれから有効に活用できる技術である。
【発明を実施するための最良の形態】
【０００９】  本発明を実施するための最良の形態として図面に基づき説明する。【００１０】  図１及び２は本発明の基本的な構成を説明する図である。
図１及び２中、永久磁石１及び２は同極同士を対向させ、保持金具４は永久磁石１及び２を保持しながら、それぞれが同期して離反及び接近するためのものでありストッパー５及び６によりその動く範囲を規制されている。又、保持金具４の他端はフレーム等に固定されている。【００１１】  一方磁性体３は図１及び２において永久磁石１及び２の間へ接触しないで軽く移動させるために、一例としてローラー８で支持されている。又、磁性体３の片方には説明上一例としてスプリング７が取り付けられ、スプリング７の他端はフレーム等に固定されている。図２は図１の状態から磁性体３が永久磁石１及び２に引き込まれた状態を示す。【００１２】  次に図１及び図２により本装置の動作を説明する。
図１のように設置された永久磁石１、及び２は同極同士が対向しているため反発離反（矢
2011083174.tif 000003
３を吸引しようとする。このとき磁性体３は他端に取り付けられたスプリング７を引っ張りながら吸引され、さらに吸引移動するに従い永久磁石１及び２は反発が弱まり次第に磁性体３を介してそれぞれ吸引状態に変化する。【００１３】  これまでの動作で入力を要しないで永久磁石１及び２は吸引力として出力が発生する。
2011083174.tif 000004
次にこの状態より磁性体３をスプリング７に蓄えられた力を利用して引き戻せば永久磁石１及び２は反発しあった元の状態にもどる。この動作で出力を発生する。【００１４】  次に図３について説明する。図３は図１及び２のスプリング７を廃し発展させたものであり図１の構成体、永久磁石１及び２、保持金具４、ストッパー５及び６等を左右に各１セット配置してその間に磁性体３、ローラー８を配置し、磁性体３は左右の永久磁石１及び２の間を移動できる構成としたものである。【００１５】  図３では磁性体３は右側の永久磁石１及び２により吸引された状態を示しているが、磁性体３には左右の永久磁石１及び２共等しい吸引力が働いており左右どちらに移動するにも外力を要しない。従って左右の永久磁石１及び２は入力なして吸引及び反発を繰り返し出力を得ることができる。
又、図３の保持金具４にアーム９を取り付け、これにより出力を往復運動として出力することができる。【００１６】  図４は図３の中の永久磁石１及び２より振動として出力を取り出す一例を示した。
永久磁石１及び２に出力用フレーム１０を取り付け、これに振動あるいは圧力によって電気を発生する素子１１を固定し磁性体３を図中左右に移動することにより永久磁石１及び２が吸引反発を繰り返し振動し、素子１１より電気としてエネルギーを取り出すことができる。尚、図４は図３の片側のみを示しており右側にも同様の機器を設け、磁性体３は一個のものが左右の機器を往復する構造である。【００１７】  以上請求項１について本発明を構成する基本的な構成を説明したが、次に請求項２につき、本発明を実施するための最良の形態を図面に基づき説明する。【００１８】  図５はその平面図、図６は側断面図である。
図５及び図６に於いて回転軸１２はベアリング等により支持され軽く回転できる。回転軸１２には複数の回転アーム１３が取り付けられ、その先端には磁性体３が取り付けられている。又、磁性体３と同じ回転半径上に図３及び４に示すような永久磁石１及び２を含むブロックが、磁性体３が通過できるように装置フレーム等に等間隔に固定取り付けられている。その数は磁性体３より多数とし、複数の磁性体３が同時に１ブロックの永久磁石１及び２にかからない構成としてある。【００１９】  磁性体３の回転半径上の長さは回転軸１２を中心に回転したとき磁性体３の前後の永久磁石１及び２のブロックの両方の磁力を同じように受け、どちらに移動しても力を要しない長さとする。又、磁性体３の回転半径上の前後の形状は少し凸型とし、永久磁石１及び２への入出のとき磁力線の集中を避けスムーズに出入できるようにしてある。
このような構成の装置とし回転軸１２を始動すれば、摩擦ロス等を本装置発生出力より補えば継続して回転し各ブロックは出力を発生し続ける。【００２０】  次に請求項３及び４項を実施するための最良の形態につき図面にて説明する。図７はその側断面図である。
図７に於いて回転軸１２はベアリング等により支持され軽く回転できる。回転軸１２には複数の回転アーム１３が取り付けられ、その先端には移動磁石１が取り付けられ、又、同極同士を向かい合わせ、磁性体３が接触しないで通過できる隙間をあけて固定磁石２が複数フレーム等に取り付けられ固定されている。
磁性体３は各固定磁石２毎にフレーム等に支持され、この移動磁石１と固定磁石２の隙間を両磁石１及び２に接触しないで出入りできる構成となっており、固定磁石２とそれぞれセットとなっている。又、固定磁石２には隣接して固定補助磁石１４がフレーム等に取り付けられている。【００２１】  次にこれらの動作について説明する。当初移動磁石１は固定磁石２に反発しているが、固定磁石２に磁性体３が近づき吸引されることにより移動磁石１は磁性体３を介して固定磁石２に吸引される形となる。次にこの状態より、固定磁石２に磁性体３が吸引された力および移動磁石１が磁性体３に吸引されたときの力を逆利用して磁性体３を固定磁石２及び移動磁石１の間から引き戻せば固定磁石２及び移動磁石１は反発し、この反発力により回転軸１２が回転し出力を取り出すことができる。【００２２】  その様子は図８→９→１０→１１→１２と変化し、移動磁石１と磁性体３、固定磁石２の関係が示してある。又、固定補助磁石１４は磁性体３の移動を助け、よりスムーズに出力を得ることができる。
【実施例】
【００２３】  請求項２については図５及び６に示した様に、回転軸１２を中心に複数の発電ブロックを設け、当初回転軸１２を始動すればフレーム等に固定された発電素子１１により発電され出力される。回転軸１２は摩擦ロス等をこの出力より補いながら継続して発電を続ける。
従ってこれらの電力は直接産業機器あるいは家庭用電力として利用、又バッテリー等に蓄え種々の用途、例えば電気自動車用電源としても利用できる。【００２４】  次に請求項４については図７〜１２に示した様に、回転軸１２を中心に複数のアーム１３、及びその先に移動磁石１を取り付け、フレーム等に取り付けられた固定磁石２及び移動磁石１とタイミングを合わせて移動する磁性体３により当初回転軸１２を始動することにより移動磁石１は固定磁石２と次々に吸着・反発を繰り返し回転を続け出力する。従ってこの装置は直接的に回転力を利用又はこの回転を利用して発電を行い、その電力をあらゆる動力源として利用できる。
【産業上の利用可能性】
【００２５】  本発明は無公害で無限のエネルギー源として、又小型でポータブルなエネルギー源としての利用に役立つものである。例えば家庭用電源あるいは電気自動車用電源などである。
【図面の簡単な説明】
【００２６】
【図１】  本発明の基本的な構成図である。
【図２】  図１の動作説明図。
【図３】  図１の装置を左右に設置、スプリング７を廃し、より実用化を示す図である。
【図４】  出力を得るのに電気を発生する素子１１を取り付けた状態を示す図。
【図５】  図３に示す構成要素を円周上に設置し磁性体３を回転させることにより、より実用化を示す平面図。
【図６】  図５の装置に図４の発電素子１１を設置した断面図。
【図７】  移動磁石１の反発力を直接回転力として取り出す装置の断面図。
【図８】  図７の平面図。装置のスタート時点の配置を示す図（矢印の方向へ回転する）。
【図９】  磁性体３を移動させると移動磁石１が矢印の方向に移動する図である。
【図１０】  移動磁石１と固定磁石２が磁性体３を介して吸引しあった図である。
【図１１】  磁性体３を引き抜くと移動磁石１は固定磁石２に反発して移動する図である。
【図１２】  移動磁石１は固定磁石２に反発して矢印の方向へ進み次の固定磁石２へと向かい、図８よりの工程を繰り返すところを示す図である。
【符号の説明】
【００２７】１      永久磁石（図７に於いては移動磁石）
２      永久磁石（図７に於いては固定磁石）
３      磁性体
１０    出力用フレーム
１１    発電素子
１２    回転軸
１３    回転アーム
【図１】
2011083174.tif 000005
【図２】
2011083174.tif 000006
【図３】
2011083174.tif 000007
【図４】
2011083174.tif 000008
【図５】
2011083174.tif 000009
【図６】
2011083174.tif 000010
【図７】
2011083174.tif 000011
【図８】
2011083174.tif 000012
【図９】
2011083174.tif 000013
【図１０】
2011083174.tif 000014
【図１１】
2011083174.tif 000015
【図１２】
2011083174.tif 000016
【手続補正書】
【提出日】平成22年3月20日(2010.3.20)
【手続補正１】
【補正対象書類名】明細書
【補正対象項目名】００１５
【補正方法】変更
【補正の内容】
【００１５】  図３では磁性体３は右側の永久磁石１及び２により吸引された状態を示しているが、磁性体３には左右の永久磁石１及び２共等しい吸引力が働いており左右どちらに移動するにも外力を要しない。従って左右の永久磁石１及び２は入力なしで吸引及び反発を繰り返し出力を得ることができる。
又、図３の保持金具４にアーム９を取り付け、これにより出力を往復運動として出力することができる。
【手続補正２】
【補正対象書類名】明細書
【補正対象項目名】００１９
【補正方法】変更
【補正の内容】
【００１９】  磁性体３の回転半径上の長さは回転軸１２を中心に回転したとき磁性体３の前後の永久磁石１及び２のブロックの両方の磁力を同じように受け、どちらに移動しても力を要しない長さとする。又、磁性体３の回転半径上の前後の形状は少し凸型とし、永久磁石１及び２への入出のとき磁力線の集中を避けスムーズに出入できるようにしてある。
さらに各永久磁石１及び２には図４で示したようにフレーム１０を取り付け、これに振動あるいは圧力によって電気を発生する素子１１を固定してある。
このような構成の装置とし回転軸１２を始動すれば、摩擦ロス等を本装置発生出力より補えば継続して回転し各ブロックは電気として出力を発生し続ける。
【手続補正３】
【補正対象書類名】明細書
【補正対象項目名】００２０
【補正方法】変更
【補正の内容】
【００２０】  次に請求項３及び４項を実施するための最良の形態につき図面にて説明する。図７はその側断面図である。
図７に於いて回転軸１２はベアリング等により支持され軽く回転できる。回転軸１２には複数の回転アーム１３が取り付けられ、その先端には移動磁石１が取り付けられ、又、同極同士を向かい合わせ、磁性体３が接触しないで通過できる隙間をあけて固定磁石２が複数フレーム等に取り付けられ固定されている。また、固定磁石２は移動磁石１と同一半径上に設ける。
磁性体３は各固定磁石２毎にフレーム等に支持され、この移動磁石１と固定磁石２の隙間を両磁石１及び２に接触しないで出入りできる構成となっており、固定磁石２とそれぞれセットとなっている。又、固定磁石２には隣接して固定補助磁石１４がフレーム等に取り付けられている。
【手続補正４】
【補正対象書類名】明細書
【補正対象項目名】００２１
【補正方法】変更
【補正の内容】
【００２１】  次にこれらの動作について図８〜１２で説明する。当初移動磁石１は固定磁石２に反発している（図８）が、固定磁石２に磁性体３が近づき吸引される（図９）ことにより移動磁石１は磁性体３を介して固定磁石２に吸引される形となる（図１０）。次にこの状態より、固定磁石２に磁性体３が吸引された力および移動磁石１が磁性体３に吸引されたときの力を逆利用して磁性体３を固定磁石２及び移動磁石１の間から引き戻せば（図１１）固定磁石２及び移動磁石１は反発（図１２）し、この反発力により回転軸１２が回転し出力を取り出すことができる。
【手続補正５】
【補正対象書類名】図面
【補正対象項目名】図８
【補正方法】変更
【補正の内容】
【図８】
2011083174.tif 000017
【手続補正６】
【補正対象書類名】図面
【補正対象項目名】図９
【補正方法】変更
【補正の内容】
【図９】
2011083174.tif 000018
【手続補正７】
【補正対象書類名】図面
【補正対象項目名】図１０
【補正方法】変更
【補正の内容】
【図１０】
2011083174.tif 000019
【手続補正８】
【補正対象書類名】図面
【補正対象項目名】図１１
【補正方法】変更
【補正の内容】
【図１１】
2011083174.tif 000020
【手続補正９】
【補正対象書類名】図面
【補正対象項目名】図１２
【補正方法】変更
【補正の内容】
【図１２】
2011083174.tif 000021